(57)【要約】【課題】柱上変圧器の一次側ブッシングの地絡事故を防止するカバーを提供する。【解決手段】一次側ブッシング１の碍子本体２と締め付けナット５およびリード線４の接続部を半割構造の樹脂製ブッシングカバー２０で覆う。ブッシングカバー２０の外部には中空の突起１９を形成し、取付け時に下側となる突起１９の先端を切断し、カバー内部に侵入する水や塵埃を排出する。【選択図】  図１
2004253754.tif 000002
【特許請求の範囲】
【請求項１】
柱上変圧器一次側ブッシングの碍子本体のリード線を取付ける締付ナットおよびターミナルの充電部を被覆するカバーであって、樹脂製の半割構造を持ち、半割状カバー部材の一部分がヒンジを介して開閉自在に連結されるとともに他一部分は接合自在である半割状カバーを閉合した時に一次側ブッシングの締付ナット部分がカバーにより被覆されることを特徴とするブッシングカバー。
【請求項２】
半割状カバーの外面に少なくとも１個以上の突起部を形成し、突起部の一部分を切断することにより、半割状カバー外面に貫通穴が形成されることを特徴とする請求項１に記載したブッシングカバー。
【発明の詳細な説明】
【０００１】
【発明の属する技術分野】
本発明は、電柱に取付けられる柱上変圧器の一次側ブッシングに装着する保護キャップに関するものである。
【０００２】
【従来の技術】
従来、図４に示すように電柱上に取付けられた変圧器Ａの一次側ブッシング１は、碍子本体２に設けられた切り欠き部から内部のターミナルに高圧線と接続するリード線４を挿入し、ターミナルネジ部に螺合する締付ナット５で固定するようになっていた。従って、その周辺部は充電部が外部に露出する大きな隙間が存在したままである。
【０００３】
これに対して、実用新案文献１に、変圧器一次側ブッシングの碍子本体とその内部のターミナルに高圧線より接続したリード線を取り付ける締付ナットとの間に、外部より被嵌する、筒状の半割キャップによるブッシングカバーが開示されている。
【０００４】
図３（ａ）および図３（ｂ）に実用新案文献１のブッシングカバーを示す。ブッシングカバー７は、セラミックで形成され、ブッシング碍子本体２とリード線４を取付ける締付ナット５との間に、外部より被嵌するように頂部に丸穴を形成し、鰐縁９を備えた筒部８からなる半割キャップ体１０と相対向する半割開口端の一方側に互いに合成樹脂製の蝶番ピン６で開閉自在に連結される蝶番ピンのピン軸受け部が突設され、蝶番側と反対の方側には前記リード線接続部を互いの閉合により被覆する半割先細覆筒部３と、これら先細覆筒部の外側に対向して重合される締付座１１とを設けて、蝶番ピン６を支点として開閉自在の二つ割のブッシングカバーを形成している。
【０００５】
上記のブッシングカバーを閉合して、ブッシング碍子本体２に取付ける際には、ブッシング碍子本体の上端と締付ナット５の隙間と、そこに挿入された鰐縁９の間には空間が形成されるが、この空間から充電部が露出しないように可塑性のパテで空間部を充填している。
【０００６】
【実用新案文献１】
実開平４−１１７４１３号広報（
【００１３】〜
【００１９】、第１図、第２図）
【０００７】
【発明が解決しようとする課題】
ところが、上記のブッシングカバーでは、長年の日光や風雨によりパテが劣化し、パテが外れ締付ナットやターミナルの充電部が露出する怖れがあり、不用意に触れた場合に作業員が感電する恐れがある。また、樹木や鳥が接触することにより、地絡事故が発生する怖れがある。
【０００８】
また、ブッシング碍子本体およびリード線とブッシングカバーの間に隙間ができるため、ブッシングカバーと碍子本体との間に雨水や埃が侵入する恐れがある。雨水や埃がブッシング碍子の充電部とブッシングカバーの間に溜まると、雨水や埃を介して充電部がブッシングカバーの外部に露出したのと同じ状態になるため、不用意に触れた場合に作業員が感電する恐れがある。また、樹木や鳥が接触することにより、地絡事故が発生する怖れがある。
【０００９】
本発明は、雨水や埃の堆積による事故を防ぐ、安価で安全なブッシングカバーを提供することを目的とする。
【００１０】
【問題を解決するための手段】
上記目的を達成するため、本発明は、半割状のブッシングカバーを樹脂で形成し、一対の半割状カバーを閉合した時にブッシング碍子本体の上端部分と締付ナット全体を被覆した樹脂製ブッシングカバーを提供するものである。この構成によれば、締付ナットの充電部分を絶縁性のカバーで覆うため、樹木や鳥および作業者が触れて地絡事故が発生することを防止できる。
【００１１】
また、半割状の樹脂製ブッシングカバー側面に外側に向けて先端は閉じられているが内部が中空の突起を形成する。一対の半割状カバーを閉合してブッシングを被覆するときに、下側となる半割状カバーの突起を切断して突起部に貫通穴を形成すれば、雨水や埃が主に降り注ぐ上面には突起が残り、ブッシングカバー内部への雨水や埃の侵入を防止できる。
【００１２】
また、ブッシングカバーとブッシング碍子本体の隙間から侵入した雨や埃は、ブッシングカバー下側に形成された貫通穴から外部に排出されるため、雨水や埃の堆積を原因とする絶縁不良による地絡事故を防止できる。
【００１３】
【発明の実施の形態】
以下、本発明の実施例について図を参照して説明する。
【００１４】
図１（ａ）は、本発明のブッシングカバーの上面図である。ブッシングカバー２０は、絶縁性樹脂の成形品で一対の半割構造となっており、ヒンジ部２１で内側にブッシングが収まるように対向して連結されている。図では、ヒンジ部２１が半開の状態を示している。ブッシングカバー２０を閉合するために締付けバンド１８を３箇所設けてある。ブッシングカバー２０の対向部には、折返しを設けてあるので、締付けバンド１８で半割部を閉合するとカバーの内外を貫通する穴や隙間はできない。
【００１５】
また、ブッシングカバー２０の側面には、突起１９が各々１箇所設けてある。図２（ａ）に示すように突起１９の内部は中空になっているが先端は閉じている。突起１９は、樹脂で一体成形されているのでペンチやナイフで容易に切断することができる。切断後は、図２（ｂ）のようにブッシングカバー２０の内部と外部が貫通する。この穴の大きさは、水が容易に通過する一方で、埃で詰まったり木の枝が入り込んだりしないように約２ｍｍの径としている。
【００１６】
図１（ｂ）は本発明の樹脂製ブッシングカバーの取付け状態を示す説明図であって、Ａは変圧器本体、１は変圧器一次側ブッシングで、胴部外周に波型のひだを有する碍子本体２からなり、その碍子本体２の切り欠き部１２を通じて高圧線に連結したリード線４の裸充電部を挿入する孔を有したターミナルを備え、そのターミナルの一方は変圧器内のコイルに接続されている。
【００１７】
碍子本体２とリード線の締付けナット５の間には隙間１３が存在し、その隙間に樹脂製ブッシングカバー２０の内側に設けられたひだ１４をあわせて碍子を被覆すると、締付けナット５はブッシングカバー２０に収まり、高圧線に連結したリード線４は、覆筒部１５に収まる形状である。ブッシングカバー２０の内側の下部にある縁１６も碍子胴体外周部の波型ひだ１７の溝部分に適度に収まる構造となっている。ひだ１４と縁１６は、ブッシングカバー２０の碍子本体２からの脱落を防いでいる。
【００１８】
また、取付け時は、ブッシングカバー２０をヒンジ２１を中心にして左右に開き、碍子本体２に被せた後にカバー外周部にある締付けバンド１８を３箇所締めこむだけであり、取付けが容易に行うことができる。
【００１９】
また、ブッシング１は、通常はリード線４が横方向になるように変圧器Ａに取付けられているので、のブッシングカバー２０の外周にある２個の突起１９のうち片方は下向きになる。この時、下側（地面側）にむいた部分を切断することによりカバーの下側のみに貫通孔が形成され、内部に侵入した雨水や埃を外部に排出する役目を果たす。
【００２０】
【発明の効果】
本発明は上記の構成を有するものであるから、従来柱上変圧器一次側ブッシングの外部に露出していた碍子本体とリード線締付けナットの間の大きな隙間は、本樹脂製ブッシングカバーを使用することにより、碍子本体の胴部外周の波型ひだ部分から先全体を覆ってしまう為、充電部が直接露出する心配がなく、充電部に触れることによる作業員の感電事故を防ぐことができると同時に、樹木や鳥の接触による地絡事故等も防止することができる構造である。
【００２１】
また、取付け時に下側（地面側）にくる部分の突起部を切断することによりカバー内部からの貫通孔が形成されるので、碍子とカバーの隙間より侵入する雨水や埃はその貫通孔より外部に排出されることにより、雨水や埃の堆積を原因とする地絡事故を防止することができる。この時、上側の突起には貫通穴が形成されないので上側からの雨水や埃、さらには枝などの浸入を防ぐことができる。
【００２２】
また、取付けにあたってはリード線の締付けナット等をさわる必要がなく、ブッシングカバーをはめ込んでカバー外周部にある締付けバンド３箇所を締めこむだけなので、ピンを差し込んでカバーを固定するという従来品より取付け・取外しが容易に行える。
【図面の簡単な説明】
【図１】本発明の樹脂製ブッシングカバーの図で、（ａ）はカバーの平面図であり、（ｂ）はブッシングに取り付けた状態の側面図
【図２】本発明の樹脂製ブッシングカバーの突起部の断面図で、（ａ）は切断前の図であり、（ｂ）は切断後の図
【図３】従来のブッシングカバーの図で、（ａ）はブッシングに取り付けた状態の側面図であり、（ｂ）はカバーの平面図
【図４】電柱に取付けたトランスの図
【符号の説明】
Ａ  変圧器
１  変圧器一次側ブッシング
２  碍子本体
３  先細覆筒部
４  リード線
５  締付けナット
６  蝶番ピン
７  セラミック製ブッシングカバー
９  鰐縁
１４  ひだ
１５  覆筒部
１６  縁
１８  締付けバンド
１９  水抜き穴用突起
２０  樹脂製ブッシングカバー
２１  ヒンジ
【図１】
2004253754.tif 000003
【図２】
2004253754.tif 000004
【図３】
2004253754.tif 000005
【図４】
2004253754.tif 000006